(57)【特許請求の範囲】
【請求項１】
船舶の船体の中にあるシャフト（２）の中で移動できるフレーム（６）に取り付けられた引き込み可能な推進装置（５）を有し、該フレーム（６）は推進装置を二段階で伸縮する持上げ装置（３、３’、４、４’、１２）に連結され、該持上げ装置は第１段階においては船舶の船体底部における竜骨（７）の高さまたはその付近まで推進装置を持上げ、第２段階においては該第１の高さよりも高い所にある、保守要員が推進装置に接近し得る高さまで推進装置の底部が来るように推進装置を持上げるようになっている船舶において、
船舶のシャフト（２）にはラック（３、３’）が備えられ、持上げ装置はラック（３、３’）に沿って動き得るピニオン（４、４’）を具備し、ピニオン（４、４’）はフレーム（６）に連結され、第２段階において該ラック（３、３’）はラック（３、３’）に取り付け得る別の分離したラック伸長装置（１２）によって伸長することができることを特徴とする引き込み可能な推進装置を有する船舶。
【請求項２】
ラック伸長装置（１２）は船舶上の連結装置に取り付け得ることを特徴とする請求項１記載の船舶。
【請求項３】
船舶の船体の中にあるシャフト（２）の中で移動できるフレーム（６）に取り付けられた引き込み可能な推進装置（５）を有し、該フレーム（６）は推進装置を二段階で伸縮する持上げ装置（１４、１４’１５）に連結され、該持上げ装置は第１段階においては船舶の船体底部における竜骨（７）の高さまたはその付近まで推進装置を持上げ、第２段階においては該第１の高さよりも高い所にある、保守要員が推進装置に接近し得る高さまで推進装置の底部が来るように推進装置を持上げるようになっている船舶において、
該持上げ装置（１４、１４’、１５）はデッキの高さよりも下方にある固定した位置に置かれ、フレーム（６）は連結部材により取り外し得る方法で持上げ装置に取り付けられ、フレームは該連結部材よりも推進装置に対して近い所にある持上げ装置に連結可能な別の連結部材を具備していることを特徴とする引き込み可能な推進装置を有する船舶。
【請求項４】
フレーム（６）は支持要素（１５）に支持され、該支持要素は推進装置（５）の方へまた推進装置（５）からフレーム（６）に沿って移動することができ、該支持要素はさらに連結用のピンによりフレーム（６）の中の第１の組の連結用の孔に、また第２の組の連結用の孔に連結することができることを特徴とする請求項３記載の船舶。
【請求項５】
支持要素は環（１５）であり、フレームが吊り下げられていることを特徴とする請求項４記載の船舶。
【請求項６】
持上げ装置は油圧式シリンダー（１４、１４’）を具備していることを特徴とする請求項３〜５記載の船舶。
【請求項７】
フレームは浮力をもった容器であることを特徴とする請求項１〜６記載の船舶。
【請求項８】
ラック（３）の凹みまたは孔（３ａ）の中へ位置させ得る移動可能なピン（３１）、および船舶の船体に係合してフレーム（６）に下向きの押す力をかける押し付け部材（３４）を具備した固定要素（３０）がフレーム（６）に備えられていることを特徴とする請求項７記載の船舶。
【請求項９】
船舶の船体上にある可撓性の密封要素（２３）をもった支持面（２２）と係合し、フレーム（６）をその最低の位置に吊り下げ得る半径方向の環（１１）がフレーム（６）に備えられていることを特徴とする請求項１〜８記載の船舶。
【請求項１０】
フレーム（６）が垂直方向に移動し得るシャフト（２）の内壁には竜骨の高さよりも上方において可撓性の密封要素（１６）または密封用の突起（１７、１８）が備えられ、フレームには該内壁の該可撓性の密封要素（１６）または密封用の突起と係合するための間隔を置いて配置され半径方向に延びた上方および下方の相補的な密封装置（１７、１８）が備えられ、第１の引き込み段階においては下方の密封装置が該可撓性の密封要素または密封用の突起と接触し、上方の密封装置（１７）はフレームの最も下方の位置において該可撓性の密封要素（１６）または密封用の突起と接触することを特徴とする請求項１〜９記載の船舶。
【発明の詳細な説明】
【０００１】
本発明は引き込み可能な推進装置を有する船舶において、該推進装置は船舶の船底にあるシャフトの中を移動し得るフレームに取り付けられ、該フレームは該推進装置を二段階で引き込むための持上げ装置に連結され、該持上げ装置は第１段階においては船舶の竜骨の高さまたはその付近まで推進装置を持上げ、第２段階においては該第１の高さよりも上にある接近し得る高さに推進装置を持上げるようになっている船舶に関する。
【０００２】
引き込み可能な推進装置を備えた船舶は公知であり、この場合１個またはそれ以上の推進装置を船舶の竜骨の高さの下方最大約４ｍまで延ばすことができる。これらの推進装置はしばしば動的に位置決めを行なう目的に、また主な波および流れの方向に関し船舶を一定の方向に保つのに使用される。しかし作業位置へと航行する場合、或いは港に入る場合、水の抵抗を減少させ、また浅瀬の海底に接触しないようにするために、この位置決めを行なうための推進装置は船舶の竜骨と同じ高さまで引っ込められる。
【０００３】
公知の引き込み可能な推進装置では、水を抜いたドックの中でだけ或いは潜水夫によって保守が行なわれるから、検査および保守を行なうのは困難である。さらに公知の推進装置では、駆動制御ユニット、推進器、冷却装置等を有する一体となって収納された装置から成ることができるが、これを装着するのに長時間を要し、取り付けるのが比較的困難である。
【０００４】
フランス特許Ａ−２  ５６０  １４７号から請求項１の前文に従った引き込み可能な推進装置を有する船舶は公知である。この公知の構造においては、推進装置の駆動モーターは船舶上にあるピニオンによって持上げることができるラックを具備したタンクの中に取り付けられている。ピニオンは移動し得るフレームに取り付けられ、このフレームは推進装置を段階的に引き込むためにデッキの高さの所に取り付けられた持上げ構造物の異なった位置で固定することができる。
【０００５】
他の具体化例においては、該ラックとピニオンを移動可能なフレームに取り付けられた油圧式のシリンダー（図１１）で置き換えることができる。
【０００６】
この公知の推進装置は二段階で引き込みを行なうことができ、該持上げ装置は第１の段階において船舶の竜骨の高さまたはその付近まで推進装置を持上げ、第２の段階においては該第１の高さの上方にある接近できる高さまで推進装置を持上げることを特徴としている。例えば推進装置を船舶の孔［ムーンプール（深海作業掘削船の中央シャフト、ｍｏｏｎｐｏｏｌ）のような孔］を通して取り付けることにより、浅瀬に入ったり高速で航行する目的で、第１の段階において推進装置を船体の高さと同じ高さまで持上げる。保守が必要な場合には、例えば甲板間のデッキを経て容易に接近できるように第２の高さまで持上げる。好ましくはフレームまたは容器に連結した推進装置を船舶の孔（ムーンプールのような孔）に取り付けることにより、船舶が既に水上に浮かんでいる場合推進装置を適切な位置に配置し得る比較的簡単な構造が得られる。これによって構築時間が比較的短くなる。
【０００７】
公知の持上げ装置は、比較的大きな持上げ構造物がデッキの高さに永久的に取り付けられ、これは沖合で操作を行なう際デッキの高さに置かれた装置の邪魔になるという欠点をもっている。推進装置を引っ込める第１段階においてフレームに連結された持上げ装置の大部分はデッキの高さよりも上方へ延びている。
【０００８】
従って本発明の目的は、容易に装着することができ、容易な方法で保守を行なうことができる比較的小型の引き込み可能な推進装置であって、その持上げ装置は第１段階において船舶のデッキ上の空間を比較的少ししか占有しない推進装置を提供することである。本発明の他の目的は、簡単な設計をもち、且つ現存の船舶を、動的に位置決めをする目的の推進装置を１個またはそれ以上具備した船舶に変更するのに特に適したシステムを提供することである。
【０００９】
この点に関して本発明の一具体化例に従えば、船舶のシャフトにはラックが備えられている。フレームはこのラックに沿って動き得るピニオンを具備しており、第２段階においてはラックはラックに取り付け得る別の分離したラック伸長装置によって伸長することができる。例えば船舶に連結された二重の歯付きのラックおよび推進装置のフレームに連結されたピニオンによって、デッキの高さだけで突き出した大きな構造物をつくることなしに、推進装置を竜骨の高さにまで引き込むことができる。保守の目的に対しては、ラック伸長装置は一時的に主デッキに連結され、ピニオンの経路を延ばし、第２の段階に沿って甲板間のデッキの高さまで推進装置を移動させることができる。船舶のシャフトを横切って一時的な作業床面をつくり、推進装置を移動させて保守要員が推進装置に近づけるようにすることができる。
【００１０】
他の具体化例においては、持上げ装置は油圧式のシリンダーから成り、このシリンダーに推進装置のフレームが取り外し得るように連結されている。例えばシリンダーの全行程を動かして推進装置を第１の段階まで持上げ、しかる後それから取り外す。次いでシリンダーを再び完全に伸長させ、低い位置でフレームに連結する。第２段階においてシリンダーを引っ込める場合には、推進装置をさらに船舶のシャフトの中に引き込み、フレームが伸長されて主デッキの上方に来るようにする。この場合もシリンダーは船舶上のデッキの空間を比較的少ししか占有しない。
【００１１】
次に添付図面を参照して本発明を詳細に説明する。
【００１２】
図１は推進装置を載せ得るシャフトまたはムーンプール２を具備した船舶のデッキ１の上面図である。それぞれ４個の電気的に駆動される二組のピニオン駆動装置４、４’は二つの二重の歯付きのラック３、３’に沿って垂直に移動することができる。図２に示されているように、推進装置５並びにその駆動モーター、歯車機構および回転駆動ユニット５’はフレーム６に連結されている。図２においては推進装置５は竜骨の高さ７の下方に延びている。ピニオン駆動装置４、４’はフレーム６の頂部に連結されている。図１１に示されているような固定装置がフレーム６の上端に組み込まれ、好ましくはピニオン駆動装置４、４’と一体となり、該容器に関し遊びのない位置にフレーム６を固定している。この点に関しラック３、３’は固定装置の固定用のピンを挿入し得る孔３ａ、３ｂを備えた正規の位置にある。
【００１３】
ラック３、３’はデッキの高さ８の所まで延びている。作業位置においては、フレーム６はシャフト２に関し最も低い位置にあり、甲板間のデッキ１０に連結された支持部材９、９’上に支持されている。フレーム６の上部は支持部材９、９’と一緒に動作するための半径方向に延びた支持用の環１１を有している。この支持部材９、９’と支持用の環１１との間には図５に詳細に示されている軸方向の密封材２３が具備されている。シャフト２の内壁には該上部の近傍において半径方向の密封材１６、１６’が備えられている。フレーム６は図２において半径方向の密封材１６、１６’の位置に対応する位置で二つの上方の半径方向の密封用の突起１７、１７、および二つの下方の半径方向の密封用の突起１８、１８’を具備している。これらの半径方向の密封用の突起は図５にもっと詳細に示されている。フレーム６が上方へ引き込まれた場合、図３に示されるように、下方の半径方向の密封用の突起は密封材１６、１６’と係合するように動かされ、一方上方の半径方向の密封用の突起１７、１７’は上方に動かされる。
【００１４】
図３はピニオン駆動装置４、４’がラック３、３’に沿って垂直に移動し、推進装置が竜骨の高さ７と同じ高さになる第１の段階へ推進装置５を引き込んだ状態を示している。
【００１５】
図４は推進装置５を保守または検査位置へ移動させるためのラック３、３’に連結された一時的なラック伸長装置１２を示す。この位置において一時的な作業床面１３は支持部材９の所にあり、保守要員が推進装置５に接近することができる。
【００１６】
図５は支持部材９の支持面２２に連結された軸方向の密封材２３の構造を詳細に示している。推進装置５が竜骨の高さより下方にあるフレーム６の最も低い位置において、支持用の環１１は支持面２２の縁２３の上に載り、軸方向の密封材２３を圧縮しシャフトの壁１９とフレームの壁２０との間の空間を通って水が入るのを防いでいる。フレーム６は浮力をもった閉じた容器であることが好ましい。シャフトの壁１９の上には半径方向の密封要素１６が備えられ、これがフレームの壁２０の上にある上方の半径方向の突起１７によって圧縮される。フレーム６を上方へ引き込む場合には、突起１７の傾斜した表面が密封要素１６の上を滑って行き、突起１７による半径方向への制約がなくなると半径方向へ外側に向って膨張する。この膨張した状態で密封要素１６の面は傾斜した面になり、フレーム６がさらに上方へ動くと下方の突起１８が滑り込んで密封要素１６と係合し、密封要素１６は再び下方の突起１８によって十分圧縮されるに至る。
【００１７】
図６は、推進装置５の持上げ装置が油圧式シリンダー１４、１４’でつくられている具体化例を示す。推進装置５のフレーム６は環１５に取り付けられ、分離した連結用のピンまたはボルトおよびフレーム６の孔によってそれに連結されている。図７に示すようにシリンダー１４、１４’が完全に引っ込められている場合には、推進装置５は竜骨の高さ７の所に位置している。推進装置をさらに引き上げるためには、環１５をフレーム６から外し、環１５が支持部材９、９’に突き当たるまで、シリンダー１４、１４’を伸長すことによりフレームに沿って滑らせる。図８に示した位置において環１５は再びフレーム６に取り付けられる。それに対し環１５の連結用のピンに連結するための第２の組の孔が備えられている。
【００１８】
図９は推進装置５のさらに引っ込んだ位置を示す。この位置においてフレーム６は再び容器に対して固定さる。その後で環１５はフレーム６から外され、この位置においてフレーム６の最低の位置へと滑り込み、再びフレームに取り付けられる。しかる後最後にシリンダー１４、１４’が引き込まれ、フレーム６は図１０に示すようなデッキの高さ８の上方へ延び出す。この持上げシステムは、容器またはフレーム６の重さを含めて約１００トンの重量の推進装置を水面上に持ち上げ得るように設計されている。
【００１９】
図１１および１２はそれぞれ固定された位置および固定が外された位置におけるピニオン駆動装置４と一体となった固定装置２０を示している。固定用のピン３１はレバー３２によりラック３からまたラック３の方へ移動することができる。ピニオン駆動装置４の電動モーターは固定用のピン３１と同じハウジングに取り付けられている。ハウジング上で第１のアーム３３および第２のアーム３４は蝶番え状に連結されている。第１のアーム３３はアーム３３の端の所でネジが切られたブッシュ３７と係合しているスピンドル３６によって動かすことができる。スピンドル３６は例えば手動の車によって手で動かすことができる。アーム３３を持ち上げることによりアーム３４は圧されてその端がラック３の曲がった圧し付け面３５と係合し、固定装置３０はラック３に関して下方へ圧される。推進装置５が取り付けられているフレーム６は浮力をもっており、好ましくは閉じた容器としてつくられているから、固定装置３０により下方へ及ぼされる力によってシャフト２の内部でフレームを吊り下げる際の遊びが除去される。
【図面の簡単な説明】
【図１】  推進装置を具備した容器またはフレームを取り付け得る本発明のムーンプールの上面図。
【図２】  作業位置におけるラックおよびピニオンを具備した引き込み可能な推進装置の第１の具体化例。
【図３】  第１の引き込み段階における図２の推進装置。
【図４】  第２の引き込み段階における図２の推進装置。
【図５】  フレームの密封用の配置の拡大図。
【図６】  作業位置における油圧式の持上げ装置を具備した引き込み可能な推進装置。
【図７】  第１の引き込み段階における図６の推進装置。
【図８】  推進装置のフレームに沿った連結用の環の移動。
【図９】  さらに引き込んだ位置における図６の推進装置。
【図１０】  検査または保守の目的のための第２の引き込み段階における図６の推進装置。
【図１０および１１】  それぞれ固定された位置および固定を外された位置における固定機構。
【図１】
0004526184.tif 000002
【図２】
0004526184.tif 000003
【図３】
0004526184.tif 000004
【図４】
0004526184.tif 000005
【図５】
0004526184.tif 000006
【図６】
0004526184.tif 000007
【図７】
0004526184.tif 000008
【図８】
0004526184.tif 000009
【図９】
0004526184.tif 000010
【図１０】
0004526184.tif 000011
【図１１】
0004526184.tif 000012
【図１２】
0004526184.tif 000013